(57)【特許請求の範囲】
【請求項１】
左右一対の前面レンズと、前記レンズを前方から嵌脱可能な一対のレンズ保持部を有する外周フレーム及び前記レンズ保持部の内周面に着脱可能にスナップ係合して嵌合される一対の環状部を有する内周フレームからなるレンズフレームと、前記レンズフレームから後方へ延びる筒状のスカートと、着用者の頭部に掛回することが可能なストラップとを含むダイビングフェイスマスクにおいて、
前記外周フレームは、前記レンズ保持部の周囲を画成する周壁と、前記周壁における前記スカートの鼻部の形状に沿った逆Ｖ字状を有する下側部とを有し、
前記内周フレームは、前記一対の環状部が弾性変形可能な材料から一体に形成されていて、前記一対の環状部間に位置する中央部と、前記中央部に位置し前記外周フレームの前記周壁の前記下側部の形状に沿う逆Ｖ字状の下側部と、前記中央部に位置し前記下側部の側へ凸となる湾曲状の上側部と、前記中央部に切欠き部とを有し、前記下側部と前記上側部とが前記切欠き部により分離され、前記切欠き部とこれが対向する前記外周フレームの部位に位置する透孔に前記内周フレームとは別体の連結部材が挿抜可能に嵌合されており、
前記連結部材を前記切欠き部及び前記透孔から取外した状態で、前記内周フレームの前記上側部を前記切欠き部へ向かって押圧することにより、前記内周フレームの前記上側部を撓ませて弾性性変形させ、よって前記外周フレームと前記内周フレームとの前記スナップ係合を解除することができることを特徴とする前記マスク。
【請求項２】
前記連結部材が、前記内周フレームの前記中央部の前面の一部を形成する前方部と、前記前方部から後方へ延びる後方部とを有し、前記透孔が、前記一対のレンズ保持部間に位置する中央部に形成され、前記後方部を前記透孔に挿入することによって、前記連結部材を前記レンズフレームに挿抜可能に嵌合することができる請求項１に記載のマスク。
【請求項３】
前記連結部材が、前記後方部の後端において下方へ突出する係止爪を有する請求項１又は２記載のマスク。
【発明の詳細な説明】
【技術分野】
【０００１】
この発明は、ダイビングなどに使用するフェイスマスクに関し、さらに詳しくは、レンズの交換が容易なダイビングフェイスマスクに関する。
【背景技術】
【０００２】
従来、左右一対の前面レンズと、レンズを前方部分において嵌合することのできるレンズフレームと、後方部分を着用者の顔面に密着させることが可能なスカートとからなる本体フレームと、本体フレームに取り付けられ、着用者の頭部に掛回することが可能なストラップとを含むダイビングフェイスマスクは公知である。例えば、先行技術文献において、レンズフレームは、左右一対のレンズ保持部を有する環状の外周フレームと、レンズを嵌合させたレンズ保持部に前方から嵌合してその周壁にスナップ係合し、レンズの脱落を防止する環状の内周フレームとから形成されている。
【特許文献１】特開平０８−１０７９４８号公報
【発明の開示】
【発明が解決しようとする課題】
【０００３】
特許文献１に開示のダイビングフェイスマスクによれば、環状の内周フレームの一部に切欠があり、その周り方向を不連続にしてあることから、切欠き部位の周縁を指で摘んで径方向内側へ変形させることで、外周フレームに嵌合された内周フレームを、外周フレームから簡単に取り外すことができる。しかし、内周フレームが周り方向へ不連続であることから、マスクの着用中において、レンズフレームが外部から強い衝撃を受けた場合等に、内周フレームが撓んで弾性変形し、外周フレームとのスナップ係合が解かれることにより、いきおい内周フレームとレンズとがマスクから脱落してしまうおそれがある。
【０００４】
そこで、この発明は、マスク着用時における内周フレームの変形を防止することが可能であるとともに、レンズ交換時等のマスクを分解する際には、内周フレームを弾性変形させることにより、特別な工具を用いることなく、内周フレーム及びレンズを比較的容易に取り外すことのできるダイビングフェイスマスクの提供を課題としている。
【課題を解決するための手段】
【０００５】
この発明は、左右一対の前面レンズと、前記レンズを前方から嵌脱可能な一対のレンズ保持部を有する外周フレーム及び前記レンズ保持部の内周面に着脱可能にスナップ係合して嵌合される一対の環状部を有する内周フレームからなるレンズフレームと、前記レンズフレームから後方へ延びる筒状のスカートと、着用者の頭部に掛回することが可能なストラップとを含むダイビングフェイスマスクに関する。
【０００６】
この発明は前記構成において、前記外周フレームは、前記レンズ保持部の周囲を画成する周壁と、前記周壁における前記スカートの鼻部の形状に沿った逆Ｖ字状を有する下側部とを有し、前記内周フレームは、前記一対の環状部が弾性変形可能な材料から一体に形成されていて、前記一対の環状部間に位置する中央部と、前記中央部に位置し前記外周フレームの前記周壁の前記下側部の形状に沿う逆Ｖ字状の下側部と、前記中央部に位置し前記下側部の側へ凸となる湾曲状の上側部と、前記中央部に切欠き部とを有し、前記下側部と前記上側部とが前記切欠き部により分離され、前記切欠き部とこれが対向する前記外周フレームの部位に位置する透孔に前記内周フレームとは別体の連結部材が挿抜可能に嵌合されており、
前記連結部材を前記切欠き部及び前記透孔から取外した状態で、前記内周フレームの前記上側部を前記切欠き部へ向かって押圧することにより、前記内周フレームの前記上側部を撓ませて弾性性変形させ、よって前記外周フレームと前記内周フレームとの前記スナップ係合を解除することができることを特徴とする。
【０００７】
この発明は、下記の好ましい実施の形態を含んでいる。
（１）前記連結部材が、前記内周フレームの前記中央部の前面の一部を形成する前方部と、前記前方部から後方へ延びる後方部とを有し、前記透孔が、前記外周フレームの前記一対のレンズ保持部間に位置する中央部に形成され、前記後方部を前記透孔に挿入することによって、前記連結部材を前記レンズフレームに挿抜可能に嵌合することができる形態。
（２）前記連結部材が、前記後方部の後端において下方へ突出する係止爪を有する形態。
【発明の効果】
【０００８】
この発明に係るダイビングフェイスマスクによれば、レンズの交換時等のマスクを分解する際に、連結部材を取り外したのちに、内周フレームの上側部を切欠き部へ向かって押圧することにより、内周フレームの上側部を撓ませて弾性変形させることができるので、特別な工具を用いることなく、比較的容易に外周フレームと内周フレームとのスナップ係合を解除することができる。また、マスクの着用中には、内周フレームの切欠き部に、連結部材が嵌合されているので、内周フレームが撓んで弾性変形することはなく、内周フレームやレンズがマスクから脱落するおそれはない。
【発明を実施するための最良の形態】
【０００９】
添付図面を参照して、この発明に係るダイビングフェイスマスクの実施の形態を説明すると、以下のとおりである。
【００１０】
図１は、ダイビングフェイスマスク１の正面図、図２は、マスクの部分分解斜視図、図３は、図２のＩＩＩ−ＩＩＩ線断面図である。
【００１１】
マスク１は、中心軸Ｃ−Ｃに関して左右対称であり、一対の前面レンズ２と、レンズ２を前方部分において嵌合することができ、後方部分を着用者の顔面に密着させることが可能な本体フレーム３と、本体フレーム３に取付けられ着用者の頭に掛回することが可能なストラップ９とを含む。
【００１２】
レンズ２は、プラスチックまたはガラスで作られており、本体フレーム３に着脱可能に水密状態で取り付けられている。
【００１３】
本体フレーム３は、プラスチック製のレンズフレーム４と、レンズフレーム４の後面から後方へ延びる、ラバー製のスカート５とを有し、レンズフレーム４は、左右一対のレンズ保持部６を有する外周フレーム７と、前方から外周フレーム７の内周面１１ａに嵌合されてレンズ２の脱落を防止する内周フレーム８とから形成されている。外周フレーム７は実質的に変形することのない比較的に高剛性のプラスチックから作られており、内周フレーム８は、後述するように、その一部に切欠き部３３が形成されることによって、その周辺部位が撓んで弾性変形する程度の柔軟性を有するプラスチックから作られていることが好ましい。
【００１４】
外周フレーム７は、図２及び３から明らかなように、左右一対の環状のレンズ保持部６と、レンズ保持部６の間に位置する中央部１０と、レンズ保持部６の周囲を画成し前後方向へ延びる周壁１１とを有する。レンズ保持部６の後端に位置する内周縁部１２は、レンズ保持部６の径方向内方へ張り出しており、その内側縁には環状のリブ１３が形成されている。周壁１１の内周面１１ａにおける前端寄りの所要部位には、略矩形状の係合凹部１５が周回方向へ間欠的に形成されており、レンズ保持部６の下端の前方隅部には、案内凹部２９が形成されている。中央部１０には、下方へ湾曲しながら前方へ張り出し、かつ、その内周面１１ａにおいて下方へ凸となる凸曲部１６を有する周壁１１の上側部１７と、スカート５の鼻部５１の形状に沿った逆Ｖ字状を有し、上側部１７とほぼ同寸法前方へ張り出している周壁１１の下側部１９との間において、凹部２０が画成されている。凹部２０には、略Ｔ字状の透孔２１があり、周壁１１の上側部１７の内面における透孔２１と対向する部位には、上方へ凹となる係合溝２４が形成されている。また、周壁１１の上側部１７の外面には、前方へ凸となる湾曲状を有するラバー製の被覆部材２５が上方から上側部１７に嵌着されており、被覆部材２５の左右両端には、上方へ突出した突起２６がある。
【００１５】
図４は、内周フレーム８の背面図である。
【００１６】
内周フレーム８は、左右一対の環状部３０と、環状部３０の間に位置する中央部３１と、環状部３０の周囲を画成し前後方向へ延びる周壁３２とを有し、これらの各部は一体に形成されている。中央部３１には切欠き部３３が形成されており、中央部３１は縦方向へ不連続であって、外周フレーム７の下側部１９の形状に沿う逆Ｖ字状を有する下側部３５と、下方へ凸となる湾曲状を有する上側部３６とは分離されており、図１から明らかなように、マスク１の組み立て状態において、切欠き部３３には、連結部材３４が前方から挿抜可能に嵌合されている。周壁３２の外周面の後端縁沿いの所要部位には、外周フレーム７の係合凹部１５に対応する係合凸部３９が周回方向へ間欠的に形成されており、環状部３０の下端の隅部には外周フレーム７の案内凹部２９に対応する薄状凸部３８があり、周壁３２は、外周フレーム７の内周面１１ａに嵌合し易いように、全体的に径方向内方へわずかに傾斜している。切欠き部３３によって分離されている中央部３１における上側部３６と下側部３５との後面には、前方へ凹となる凹部４０が形成されており、上側部３６側の凹部４０には、後方へ突出する突起４１があり、突起４１の後面は後方へわずかに傾斜している。また、中央部３１における上側部３６の外面には、下方へ凹となる嵌合凹部４２が形成されており、嵌合凹部４２の後端沿いには上方へ突出する係止突起４４があり、その後面は後方へわずかに傾斜している。
【００１７】
このように、内周フレーム８の中央部３１には、切欠き部３３が形成されているので、周壁１１の上側部１７は、切欠き部３３へ向かって、すなわち、下方へ撓んで弾性変形することができる。また、図４において仮想線で示されているように、前方へ向かう力を加えることにより、前方へも弾性変形することができる。
【００１８】
連結部材３４は、硬質のプラスチックから作られ、内周フレーム８の中央部３１の前面の一部を形成する円弧状の前方部４５と、前方部４５から後方へ延び、外周フレーム７の透孔２１へ挿通される直状の後方部４６とから形成されており、後方部４６の後端には、下方へ突出する係止爪４７がある。前方部４５の両端部３４ａは、マスク１を分解する際に、着用者が前方から両端部３４ａを指で摘んで連結部材３４をマスク１から取り外すことができるように、レンズフレーム３に嵌合された状態において、環状部３０の径方向内方へわずかに張り出している（図１参照）。
【００１９】
再び、図１及び図２を参照すれば、スカート５は、その前方中央に着用者の鼻を覆うことが可能な鼻部５１と、鼻部５１の両側に位置し、着用者が外側から指を差し込むことが可能な鼻摘み部５２と、レンズ２をレンズフレーム３に水密に保持するための一対の環状のシール部５３とを有する。シール部５３の内周縁部には、環状のフランジ５４が形成されており、フランジ５４の後面５６が外周フレーム７のリブ１３に当接するように、後方から外周フレーム７に取り付けられている。また、レンズ２の周縁部がフランジ５４の前面５４ａに当接するように、レンズ２をシール部５３に嵌合することができ、内周フレーム８を外周フレーム７の内周面１１ａに当接させて係合凸部３９と係合凹部１５とによってスナップ係合することにより、レンズ２が内周フレーム８とシール部５３とによって挟圧され、レンズ２を水密状態でレンズフレーム３に保持することができる。
【００２０】
スカート５の両側には、ストラップアジャスター５５が取り付けられており、アジャスター５５を介して、筒状のストラップ９がスカート５の両側から後方へ延びている。
【００２１】
図５は、図１のＶ−Ｖ線断面図、図６は、図１のマスクの分解工程の一部を示す斜視図である。
【００２２】
前記構成からなるマスク１を組み立てるには、外周フレーム７の後方からスカート５のシール部５３をレンズ保持部６の中へ入れて、フランジ５４の後面５６をリブ１３に当接してシール部５３をレンズ保持部６に嵌合したのち、レンズ２の周縁がフランジ５４の前面５４ａに当接するように、レンズ２を前方からレンズ保持部６に嵌合されているシール部５３に嵌める。次に、内周フレーム８の上側部３６の外面に位置する凹部４２を外周フレーム８の凸曲部１６に嵌めこみ、係止突起４４を溝２４の前端縁２４ａに当接させて係止し、内周フレーム８の凹部４０を外周フレーム７の凹部２０の前面に当接させ、内周フレーム８の周壁３２を外周フレーム７の内周面１１ａに沿うように当接させながら、係合凸部３９を係合凹部１５へスナップ係合させたのち、連結部材３４を内周フレーム８の切欠き部３３に嵌めて、その後方部４６を透孔２１に挿通させる。このように組み立てられたマスク１では、レンズ２がレンズフレーム３に水密状態で保持されているので、着用中にレンズ２がズレたり、脱落するおそれはない。なお、着用時において、連結部材３４にそれを脱落させるような前方へ向かう力が働いたとしても、係止爪４７が外周フレーム７の凹部２０の後面に係止されているので、連結部材３４が不用意に脱落するおそれはない。
【００２３】
マスク１を分解する手順は、基本的には前記の組み立て手順の逆をたどるものであるが、内周フレーム８をマスク１から取り外すまでの手順を説明すると、まず、外周フレーム７の後面を後方から覆っているスカート５のシール部５３間に位置する中央域を後方へ捲り下げて、外周フレーム７の透孔２１を外部に露出させる。次に、透孔２１から後方へ突出している連結部材３４の後方部４６の後端を、係止爪４７の係止状態が解除されるように上方へ引き上げながら前方へ押圧し、連結部材３４をレンズフレーム３から取り外す。この際、連結部材３４を押し出すには、スカート５と外周フレーム７との間に指を直接挿し入れてもよいし、ドライバー等の細棒状部材を用いてもよい。また、係止爪４７の係止を解除した後に、前述のとおり、環状部３０の径方向内方へ突出している連結部材３４の両端部３４ａを指で摘んで、前方から連結部材３４を取り外してもよい。次に、図６において仮想線で示されているように、透孔２１内に位置する突起４１の後面を下方へ押圧しながら前方へ押し出すことによって、内周フレーム８の上側部３６を全体的に下方へ撓ませて弾性変形させ、嵌合凹部４２と凸曲部１６とによる嵌合と、係止突起４４と溝２４の前端縁２４ａとによる係止とを解除させるとともに、上側部３６を外周フレーム７からそのまま前方へ押し出すことができる。その後、前方へ押し出された上側部３６を指で摘んで前方へ引っ張り、係合凸部３９と係合凹部１５によるスナップ係合を順次解除することにより、内周フレーム８を外周フレーム７から取り外すことができる。
【００２４】
このように、レンズの交換時等のマスク１を分解する際に、内周フレーム８の中央部３１に切欠き部３３が形成されていることによって、内周フレーム８の上側部２６を切欠き部３３へ向かって押圧することにより、内周フレームの上側部２６を撓ませて弾性変形させることができ、特別な工具を用いることなく、比較的容易に外周フレーム７と内周フレーム８との各々のスナップ係合を解除することができる。また、マスク１の着用中には、内周フレーム８の切欠き部３３に、連結部材３４が嵌合されているので、レンズフレーム３が外部から強い衝撃を受けたとしても、内周フレーム８が撓んで弾性変形して、内周フレーム８とレンズ２がマスク１から脱落するおそれはない。なお、本実施例では、内周フレーム８の切欠き部３３は、中央部３１に形成されているが、内周フレーム８をその径方向へ弾性変形させることができる限りにおいては、環状部３０に形成されていてもよいし、内周フレーム８の複数の所要部位に形成されていてもよい。
【図面の簡単な説明】
【００２５】
【図１】ダイビングフェイスマスクの正面図。
【図２】図１のマスクの部分分解斜視図。
【図３】図２の外周フレームのＩＩＩ−ＩＩＩ線断面図。
【図４】内周フレームの背面図。
【図５】図１のマスクのＶ−Ｖ線断面図。
【図６】図１のマスクの分解工程の一部を示す斜視図。
【符号の説明】
【００２６】
１    ダイビングフェイスマスク
２    前面レンズ
４    レンズフレーム
５    スカート
６    レンズ保持部
７    外周フレーム
８    内周フレーム
９    ストラップ
１０  外周フレームの中央部
２１  透孔
３０  環状部
３１  内周フレームの中央部
３３  切欠き部
３４  連結部材
４５  連結部材の前方部
４６  連結部材の後方部
４６ａ  後方部の後端
４７  係止爪
【図１】
0004511588.tif 000002
【図２】
0004511588.tif 000003
【図３】
0004511588.tif 000004
【図４】
0004511588.tif 000005
【図５】
0004511588.tif 000006
【図６】
0004511588.tif 000007